(57)【特許請求の範囲】
【請求項１】
左右一対の支柱間に踏桟を横架して形成した前後一対の脚体の前後に対向する支柱の夫々上端部に、耳片どうしがリベットで枢着された一対の回転金具を介装することにより、両脚体を、下端部側が閉じた折畳姿勢と開いた開脚姿勢とに姿勢変更自在にすると共に、一対の回転金具の夫々耳片の上端側に設けたストッパー部どうしが当接することによって両脚体を所定の開脚姿勢に保持し、両脚体の折畳姿勢ではストッパー部どうしが離隔するようになっている踏台等の折畳式昇降台において、両脚体が折畳姿勢から開脚する時に各一対の回転金具の対向するストッパー部間での指詰めを防止するために各一対の回転金具を両側から挟み付けて両ストッパー部を常時被包するように取り付けられる一対のカバー本体からなり、各カバー本体の上下方向中央部内面には、リベット枢着部の両端側頭部に夫々係合可能な係合凹部を設け、各カバー本体の上端部内面には、一対の回転金具を挟んで二つのカバー本体を互いに上下を反対にして対面配置した時に互いに凹凸嵌合する嵌合凹部と嵌合凸部のうちの何れか一方を、下端部内面にはその他方を設けてなることを特徴とする踏台等の折畳式昇降台における回転金具の指詰め防止カバー。
【請求項２】
嵌合凹部は貫通孔からなり、嵌合凸部は、嵌合凹部に嵌挿される軸体と、この軸体の先端部にあって、貫通孔の内径より径大の抜け出し阻止用頭部と、軸体と前記径大頭部とに亘って軸方向に延びる割溝とからなるもので、嵌合凸部を嵌合凹部に嵌合する時は、前記径大頭部を割溝により縮径した状態で嵌合凹部の貫通孔を貫通させるようにした請求項１に記載の踏台等の折畳式昇降台における回転金具の指詰め防止カバー。
【発明の詳細な説明】
【技術分野】
【０００１】
本発明は、踏台や脚立等の折畳式昇降台における回転金具の指詰め防止カバーに関するものである。
【背景技術】
【０００２】
図１の(a) は踏台を使用状態で示す斜視図、(b) は同使用状態の踏台における回転金具を示す拡大側面図であり、図２の(a) は折畳姿勢での踏台の回転金具を示す拡大側面図、(b) はその平面図である。この踏台は、夫々左右一対の支柱１，１間に踏桟２を横架して形成した前後一対の脚体３，３の前後に対向する支柱１，１の夫々上端部に、耳片４ａ，４ａどうしがリベット５にて枢着された一対の回転金具４，４を介装することによって、両脚体３，３を、下端部側が閉じた折畳姿勢と開いた開脚姿勢とに姿勢変更自在にすると共に、各一対の回転金具４，４の夫々耳片４ａ，４ａの上端側に設けたストッパー部６，６どうしが図１の(b) に示すように当接することによって両脚体３，３を所定の開脚姿勢に保持し、しかして図２の(a) ，(b) に示すように両脚体３，３の折畳姿勢ではストッパー部６，６どうしが離隔するようになっている。図２の(a) ，(b) において、Ｒは一対の回転金具４，４のリベット５による枢着部、即ちリベット枢着部を示す。
【発明の開示】
【発明が解決しようとする課題】
【０００３】
上記のような踏台では、使用にあたって、図２の(a) ，(b) に示すような折畳姿勢から開脚姿勢まで開く時に、折畳姿勢に形成されるストッパー部６，６間の隙間Ｓに手の指を詰めるおそれがあって、非常に危険であった。
【課題を解決するための手段】
【０００４】
本発明は、上記のような課題に鑑み、回転金具に取り付けて、踏台等を折畳姿勢から使用時の開脚姿勢に開く時に回転金具のストッパー部での指詰めを防止する指詰め防止カバーを提供することを目的とする。
【０００５】
上記課題を解決するための手段を、後述する実施形態の参照符号を付して説明すると、請求項１に係る発明の踏台等の折畳式昇降台における回転金具の指詰め防止カバー７は、左右一対の支柱１，１間に踏桟２を横架して形成した前後一対の脚体３，３の前後に対向する支柱１，１の夫々上端部に、耳片４ａ，４ａどうしがリベット５で枢着された一対の回転金具４，４を介装することにより、両脚体３，３を、下端部側が閉じた折畳姿勢と開いた開脚姿勢とに姿勢変更自在にすると共に、一対の回転金具４，４の夫々耳片４ａ，４ａの上端側に設けたストッパー部６，６どうしが当接することによって両脚体３，３を所定の開脚姿勢に保持し、両脚体３，３の折畳姿勢ではストッパー部６，６どうしが離隔するようになっている踏台等の折畳式昇降台において、両脚体３，３が折畳姿勢から開脚する時に各一対の回転金具４，４の対向するストッパー部６，６間での指詰めを防止するために各一対の回転金具４，４を両側から挟み付けて両ストッパー部６，６を常時被包するように取り付けられる一対のカバー本体８，８からなり、各カバー本体８の上下方向中央部内面には、リベット枢着部Ｒの両端側頭部５ａ，５ｂに夫々係合可能な係合凹部９を設け、各カバー本体８の上端部内面には、一対の回転金具４，４を挟んで二つのカバー本体８，８を互いに上下を反対にして対面配置した時に互いに凹凸嵌合する嵌合凹部１０と嵌合凸部１１のうちの何れか一方１０を、下端部内面にはその他方１１を設けてなることを特徴とする。
【０００７】
請求項２は、請求項１に記載の踏台等の折畳式昇降台における回転金具の指詰め防止カバーにおいて、嵌合凹部１０は貫通孔からなり、嵌合凸部１１は、嵌合凹部１０に嵌挿される軸体１１ａと、この軸体１１ａの先端部にあって、貫通孔の内径より径大の抜け出し阻止用頭部１１ｂと、軸体１１ａと前記頭部１１ｂとに亘って形成された割溝１１ｃとからなるもので、嵌合凸部１１を嵌合凹部１０に嵌合させる時は、前記頭部１１ｂを割溝１１ｃにより縮径した状態で嵌合凹部１０の貫通孔を貫通させるようにしたことを特徴とする。
【発明の効果】
【０００８】
上記解決手段による発明の効果を、後述する実施形態の参照符号を付して説明すると、請求項１に係る発明によれば、二つのカバー本体８，８を、各一対の回転金具４，４の両側から挟み付けるようにして両回転金具４に取り付けることにより、各一対の回転金具４，４の対向するストッパー部６，６を常時被包することができ、それにより両脚体３，３が折畳姿勢から開脚する時に各一対の回転金具４，４の対向するストッパー部６，６間での指詰めを防止することができる。
【０００９】
また本発明によれば、各カバー本体８の上下方向中央部内面には、リベット枢着部Ｒの両端側頭部５ａ，５ｂに夫々係合可能な係合凹部９を設け、各カバー本体８の上端部内面には、一対の回転金具４，４を挟んで二つのカバー本体８，８を互いに上下を反対にして対面配置した時に互いに凹凸嵌合する嵌合凹部１０と嵌合凸部１１のうちの何れか一方１０を、また下端部内面にはその他方１１を設けてなるため、指詰め防止カバー７を構成する二つのカバー本体８，８を夫々全く同じ構造とすることができ、従って一種類のカバー本体８を製作すればよいから、製作コストを安くできる。
【００１０】
請求項２に係る発明によれば、二つのカバー本体８，８を回転金具４，４に取り付けるにあたって、嵌合凹部１０に対する嵌合凹部１０の嵌め込みが容易であると共に、嵌合凸部１１の抜け出しを有効に阻止することができる。
【発明を実施するための最良の形態】
【００１１】
以下に本発明の好適な一実施形態を図面に基づいて説明すると、図３は図１及び図２に示されるような踏台の回転金具に本発明に係る指詰め防止カバーを取り付けた状態の開脚姿勢の踏台の側面図、(b) は踏台が折畳姿勢の時の指詰め防止カバー取付部分の拡大図、図４の(a) はカバー本体の正面図、(b) は平面図、(c) は底面図、(d) は側面図、(e) は背面図であり、図５の(a) は図４の(d) のＡ−Ａ線拡大断面図、(b) は図４の(e) の矢印Ｂで示す部分の拡大図、(c) は図４の(e) のＣ−Ｃ線拡大断面図、(d) は図５の(c) の矢印Ｄで示す部分の拡大図、(e) は図４の(a) の矢印Ｅで示す部分の拡大図である。図６の(a) は同指詰め防止カバーの取付前の状態を示す分解側面図、(b) は回転金具に指詰め防止カバーを取り付けた状態の側面図である。これらの図において、７は本発明に係る指詰め防止カバーを示し、この指詰め防止カバー７は、各一対の回転金具４，４を両側から挟み付けて両ストッパー部６，６を常時被包するように取り付けられる一対のカバー本体８，８からなるものである。尚、図３の(a) において、１２は回転金具４，４の下方で前後に対向する支柱１，１間に介装された折り畳み式の補助ストッパーである。
【００１２】
指詰め防止カバー７を構成する二つのカバー本体８，８は全く同じ構造のものであり、各カバー本体８の構造につき図４及び図５により以下に説明する。このカバー本体８は、合成樹脂によって、図４の(a) ，(e) に示すように正面視が上下に長い楕円形（長円径）になるように一体形成されたもので、上下方向中央部の内面には、図２の(a) ，(b) 及び図６の(a) に示される両回転金具４，４のリベット枢着部（一対の回転金具４，４のリベット５による枢着部）Ｒの両端側頭部５ａ，５ｂの何れに対しても回転可能に係合する正面視円形状の係合凹部９が設けられ、カバー本体８の上端部内面には、一対の回転金具４を挟んで二つのカバー本体８，８を互いに上下を反対にして対面配置した時に互いに凹凸嵌合する嵌合凹部１０と嵌合凸部１１のうちの例えば嵌合凹部１０が設けられ、カバー本体８の下端部内面にはその嵌合凹部１０の相方となる嵌合凸部１１が設けられている。
【００１３】
しかして、このカバー本体８は、図４の(a) ，(e) からも分かるように左右対称形状に形成されていると共に、図５の(c) に示すように、係合凹部９の中心軸線Ｏから嵌合凹部１０の軸芯Ｎまでの距離と、係合凹部９の中心軸線Ｏから嵌合凸部１１の軸芯Ｍまでの距離とは同じＬである。従って、二つのカバー本体８，８を互いに上下を反対にして対面配置した時に、一方のカバー本体８の嵌合凹部１０が他方のカバー本体８の嵌合凸部１１に嵌合すると共に、一方のカバー本体８の嵌合凸部１１が他方のカバー本体８の嵌合凹部１０に嵌合することになる。
【００１４】
また嵌合凹部１０は断面円形の貫通孔からなり、この嵌合凹部１０に嵌合する嵌合凸部１１は、嵌合凸部１１は、嵌合凹部１０に嵌挿される軸体１１ａと、この軸体１１ａの先端部にあって、貫通孔の内径より径大の抜け出し阻止用頭部１１ｂと、軸体１１ａと前記頭部１１ｂとに亘って軸芯Ｍを通るように形成された割溝１１ｃとからなるもので、嵌合凸部１１を嵌合凹部１０に嵌合させる時は、前記頭部１１ｂを割溝１１ｃにより縮径した状態で嵌合凹部１０の貫通孔を貫通させて、その貫通孔の出口に突出させることにより、前記頭部１１ｂを弾性復帰させて、嵌合凸部１１の抜け出しを阻止するようにしている。また嵌合凹部１０の入口部には、嵌合凸部１１の面取りされた抜け出し阻止用頭部１１ｂが係合可能なテーパ状ガイド部１０ｏが形成されている。
【００１５】
従って、一方のカバー本体８の嵌合凹部１０に他方のカバー本体８の嵌合凸部１１を嵌合させる時には、嵌合凸部１１の抜け出し阻止用頭部１１ｂを押えて縮径させた状態で、この頭部１１ｂを嵌合凹部１０のテーパ状ガイド部１０ｏに係合させながら押し込むと、抜け出し阻止用頭部１１ｂは縮径されたまま、嵌合凹部１０である貫通孔を貫通した後、貫通孔の出口で弾性復帰することによって抜け出しストッパーとなり、嵌合凹部１０からの嵌合凸部１１の抜け出しを阻止することができる。
【００１６】
上記のような構成よりなる指詰め防止カバー７を踏台の回転金具４に取り付けるには、図６の(a) に示すように、前後両脚体３，３の前後に対向する支柱１，１の夫々上端部を枢支連結している一対の回転金具４，４を挟んでその両側に、指詰め防止カバー７を構成する一対のカバー本体８，８を互いに上下を反対にして配置し、しかして一方のカバー本体８の中央部にある係合凹部９をリベット枢着部Ｒの一方のリベット頭部５ａに係合させた後、他方のカバー本体８の中央部にある係合凹部９を他方のリベット頭部５ｂに係合させると共に、両カバー本体８，８の上端部側及び下端部側で夫々対向する嵌合凹部１０と嵌合凸部１１とを互いに嵌合させて、同図の(b) に示す状態とすればよい。
【００１７】
上記のように二つのカバー本体８，８を、各一対の回転金具４，４の両側から挟み付けるようにして両回転金具４に取り付けることにより、各一対の回転金具４，４の対向するストッパー部６，６を、常に被包し、即ち両脚体１，１が折畳姿勢にあるか開脚姿勢にあるかに関係なく被包し、それによって両脚体１，１が折畳姿勢から開脚する時に各一対の回転金具４，４の対向するストッパー部６，６間での指詰めを防止することができる。
【００１８】
また、この指詰め防止カバー７は、踏台における各一対の回転金具４，４を両側から挟み付けて両ストッパー６，６部を常時被包するように取り付けられる一対のカバー本体８，８からなるものであるが、各カバー本体８の上下方向中央部内面には、リベット枢着部Ｒの両端側頭部５ａ，５ｂに夫々係合可能な係合凹部９を設け、各カバー本体８の上端部内面には、一対の回転金具４，４を挟んで二つのカバー本体８，８を互いに上下を反対にして対面配置した時に互いに凹凸嵌合する嵌合凹部１０と嵌合凸部１１のうちの何れか一方の嵌合凸部１０を、また下端部内面にはその他方の嵌合凹部１０を設けてなるために、指詰め防止カバー７を構成する二つのカバー本体８，８を夫々全く同じ構造とすることができ、従って一種類のカバー本体８を製作すればよいから、製作コストを安くできる。
【００１９】
このカバー本体８は、合成樹脂による一体成形によって形成するのが好ましいが、金属のダイキャスト成形によっても製作できるものである。尚、上述した実施形態では、指詰め防止カバー７を踏台に使用したものについて説明したが、この指詰め防止カバー７は、脚立にも使用することができるものである。
【図面の簡単な説明】
【００２０】
【図１】(a) は踏台を使用状態で示す斜視図、(b) は同使用状態の踏台における回転金具を示す側面図である。
【図２】(a) は折畳姿勢での踏台の回転金具を示す側面図、(b) はその平面図である。
【図３】(a) は図１及び図２に示される踏台の回転金具に本発明に係る指詰め防止カバーを取り付けた状態の開脚姿勢の踏台の側面図、(b) は踏台が折畳姿勢の時の指詰め防止カバー取付部分の拡大図である。
【図４】(a) はカバー本体の正面図、(b) は平面図、(c) は底面図、(d) は側面図、(e) は背面図である。
【図５】(a) は図４の(d) のＡ−Ａ線拡大断面図、(b) は図４の(e) の矢印Ｂで示す部分の拡大図、(c) は図４の(e) のＣ−Ｃ線拡大断面図、(d) は図５の(c) の矢印Ｄで示す部分の拡大図、(e) は図４の(a) の矢印Ｅで示す部分の拡大図である。
【図６】(a) は同指詰め防止カバーの取付前の状態を示す分解側面図、(b) は回転金具に指詰め防止カバーを取り付けた状態の側面図である。
【符号の説明】
【００２１】
１            脚体を形成する支柱
２            踏桟
３            脚体
４            回転金具
４ａ          回転金具の耳片
５            リベット
５ａ，５ｂ    リベット枢着部の両端側頭部
Ｒ            リベット枢着部
６            ストッパー部
７            指詰め防止カバー
８            カバー本体
９            係合凹部
１０          嵌合凹部
１１          嵌合凸部
【図１】
0004792451.tif 000002
【図２】
0004792451.tif 000003
【図３】
0004792451.tif 000004
【図４】
0004792451.tif 000005
【図５】
0004792451.tif 000006
【図６】
0004792451.tif 000007